(57)【要約】【課題】利用者による入力操作を軽減可能である。【解決手段】コンピュータが、入力領域に対する診療情報の入力を補助する入力ツールを起動する起動指示を利用者から受け付けると、所定のキーワードを予め記憶する記憶部から該キーワードを取得する。また、コンピュータは、取得したキーワードが、入力領域に対して入力済みの受診者の診療情報に含まれている場合に、該診療情報に含まれているキーワードを入力ツールに転送する。また、記憶部は、入力ツールごとに所定のキーワードを予め記憶し、コンピュータは、起動指示によって識別される入力ツールに対応するキーワードを記憶部から取得する。【選択図】図１
2010286922.tif 000002
【特許請求の範囲】
【請求項１】
コンピュータが、
入力領域に対する診療情報の入力を補助する入力ツールを起動する起動指示を利用者から受け付けると、所定のキーワードを予め記憶する記憶部から該キーワードを取得する取得手順と、
前記取得手順によって取得されたキーワードが、前記入力領域に対して入力済みの診療情報に含まれている場合に、該キーワードを前記入力ツールに転送する転送手順と
を実行することを特徴とする診療情報入力プログラム。
【請求項２】
前記記憶部は、入力ツールごとに所定のキーワードを予め記憶し、
前記取得手順は、起動指示によって識別される入力ツールに対応するキーワードを前記記憶部から取得することを特徴とする請求項１に記載の診療情報入力プログラム。
【請求項３】
キーワードを入力ツールに転送することを利用者が選択するための選択肢である第一の選択肢と、キーワードを入力ツールに転送しないことを利用者が選択するための選択肢である第二の選択肢とを利用者に出力する選択肢出力手順をさらに備え、
前記転送手順は、前記選択肢出力手順によって出力された選択肢のうち第一の選択肢が利用者によって選択された場合には、キーワードを入力ツールに転送し、第二の選択肢が利用者によって選択された場合には、キーワードを入力ツールに転送しないことを特徴とする請求項１または２に記載の診療情報入力プログラム。
【請求項４】
前記選択肢出力手順は、複数のキーワードが入力済みの診療情報に含まれている場合に、該キーワード各々に対応する第一の選択肢を出力し、
前記転送手順は、第一の選択肢が利用者によって選択された場合に、該第一の選択肢に対応するキーワードを入力ツールに転送することを特徴とする請求項３に記載の診療情報入力プログラム。
【請求項５】
利用者によって文字データが入力されると、該文字データに対応する仮名漢字変換候補となる文字列を利用者に出力する候補文字列表示手順と、
前記候補文字列表示手順によって表示される文字列と並べて、前記起動指示を受け付けるための選択肢を利用者に出力する起動指示出力手順と
をさらに備えることを特徴とする請求項１〜４のいずれか１つに記載の診療情報入力プログラム。
【請求項６】
入力領域に対する診療情報の入力を補助する入力ツールを起動する起動指示を利用者から受け付けると、所定のキーワードを予め記憶する記憶部から該キーワードを取得する取得部と、
前記取得部によって取得されたキーワードが、前記入力領域に対して入力済みの診療情報に含まれている場合に、該キーワードを前記入力ツールに転送する転送部と
を備えたことを特徴とする診療情報入力装置。
【請求項７】
コンピュータによって実行される診療情報入力方法であって、
前記コンピュータが、
入力領域に対する診療情報の入力を補助する入力ツールを起動する起動指示を利用者から受け付けると、所定のキーワードを予め記憶する記憶部から該キーワードを取得する取得ステップと、
前記取得ステップによって取得されたキーワードが、前記入力領域に対して入力済みの診療情報に含まれている場合に、該キーワードを前記入力ツールに転送する転送ステップと
を実行することを特徴とする診療情報入力方法。
【発明の詳細な説明】
【技術分野】
【０００１】
本発明は、診療情報入力プログラム、診療情報入力装置および診療情報入力方法に関する。
【背景技術】
【０００２】
近年、医療現場では、電子カルテシステムが広く用いられている。電子カルテシステムでは、利用者は、患者等の受診者（病人やけが人等の患者のみならず、妊産婦や健康診断の受診者等の健常者も含み、総称して「受診者」と表すものとする）の診察結果や検査結果などの診療情報を電子カルテシステムのデータベースに登録して用いる。なお、電子カルテシステムにおいて用いられるカルテのことを、以下では、電子カルテと記載する。
【０００３】
ここで、従来、電子カルテに診療情報を入力する手法について、様々な手法が知られている。例えば、利用者が他部門へ発行するオーダの種別ごとに予め用意された入力ツールを用いる手法や、テキストエディタを用いる手法などが知られている。
【０００４】
例えば、入力ツールを用いる手法では、入力ツールとして、処方オーダを入力するための処方オーダ入力ツールや、検査オーダを入力するための検査オーダ入力ツールなどが予め用意される。
【０００５】
ここで、処方オーダ入力ツールを用いる手法についてさらに説明する。電子カルテシステムは、処方オーダ入力ツールを起動するための起動ボタンが利用者によって押下されると、処方オーダ入力ツールが、処方オーダ入力ツールを利用して利用者が処方オーダを入力するための入力ツール画面をディスプレイ上に表示する。また、入力ツールは、予め規定された薬剤名や用法などの選択肢を入力ツール画面に表示する。その後、処方オーダ入力ツールは、入力ツール画面に表示された薬剤名や用法などの選択肢の内いずれかが利用者によって選択されると、選択された選択肢に対応する処方オーダを検索し、検索結果となる処方オーダの例を入力画面に表示する。その後、処方オーダツールは、入力ツール画面に表示された処方オーダが利用者によって選択されて決定されると、処方オーダを電子カルテに入力する。なお、入力画面上において、過去のオーダ履歴を参照画面に表示して利用者の参照に供する参照手法も知られている。
【０００６】
また、例えば、テキストエディタを用いる手法では、利用者が直接文章を入力することで診療情報を電子カルテに入力する。
【先行技術文献】
【特許文献】
【０００７】
【特許文献１】特開２００６−４８５９８号公報
【発明の概要】
【発明が解決しようとする課題】
【０００８】
しかしながら、上記した従来の手法では、利用者が入力操作をしなければならないという課題があった。例えば、処方オーダツールを利用する手法は、薬剤名や用法などの選択肢を表示するにすぎず、利用者が選択肢の内いずれかを選択する入力操作をしなければならなかった。また、例えば、テキストエディタを用いる手法では、利用者が直接診療情報を文章として入力しなければならなかった。なお、上記した先行技術文献に記載の技術は、参照画面を掲示するに過ぎない。
【０００９】
開示の技術は、上記に鑑みてなされたものであって、利用者による入力操作を軽減可能な診療情報入力プログラム、診療情報入力装置および診療情報入力方法を提供することを目的とする。
【課題を解決するための手段】
【００１０】
本願の開示する診療情報入力プログラムは、一つの態様において、コンピュータが、入力領域に対する診療情報の入力を補助する入力ツールを起動する起動指示を利用者から受け付けると、所定のキーワードを予め記憶する記憶部から該キーワードを取得する取得手順を実行する。また、コンピュータが、前記取得手順によって取得されたキーワードが、前記入力領域に対して入力済みの受診者の診療情報に含まれている場合に、該診療情報に含まれているキーワードを前記入力ツールに転送する転送手順を実行する。
【発明の効果】
【００１１】
本願の開示する診療情報入力プログラムの一つの態様によれば、利用者による入力操作を軽減可能であるという効果を奏する。
【図面の簡単な説明】
【００１２】
【図１】図１は、実施例１に係る診療情報入力装置の構成の一例について説明するためのブロック図である。
【図２】図２は、実施例１に係る診療情報入力装置の処理の流れの一例について説明するためのフローチャートである。
【図３】図３は、実施例２に係る診療情報入力装置の構成の一例について説明するためのブロック図である。
【図４】図４は、実施例２における入力ツール情報記憶部によって記憶された情報の一例を説明するための図である。
【図５】図５は、実施例２における第一選択項目マスタ記憶部によって記憶された情報の一例を説明するための図である。
【図６】図６は、実施例２における起動項目記憶部によって記憶された情報の一例を説明するための図である。
【図７】図７は、実施例２における入力画面の一例を説明するための図である。
【図８】図８は、実施例２における取得部と選択肢出力部と転送部と入力ツール処理部とについて簡単に説明するための図である。
【図９−１】図９−１は、実施例２における入力ツール処理部について説明するための図である。
【図９−２】図９−２は、実施例２における入力ツール処理部について説明するための図である。
【図９−３】図９−３は、実施例２における入力ツール処理部について説明するための図である。
【図１０】図１０は、実施例２に係る診療情報入力装置による全体処理の流れの一例について説明するためのフローチャートである。
【図１１】図１１は、実施例２における入力ツールによる診療情報入力処理の流れの一例について説明するためのフローチャートである。
【図１２】図１２は、実施例２に係る診療情報入力プログラムを実行するコンピュータの一例について説明するための図である。
【発明を実施するための形態】
【００１３】
以下に、本願の開示する診療情報入力プログラム、診療情報入力装置および診療情報入力方法の実施例を図面に基づいて詳細に説明する。なお、本願の開示する診療情報入力プログラム、診療情報入力装置および診療情報入力方法の実施例は、以下に説明する実施例に限定されるものではない。
【実施例１】
【００１４】
［実施例１に係る診療情報入力装置の構成］
図１を用いて、実施例１に係る診療情報入力装置１００の構成の一例について説明する。なお、図１は、実施例１に係る診療情報入力装置の構成の一例について説明するためのブロック図である。
【００１５】
図１に示すように、実施例１に係る診療情報入力装置１００は、記憶部１１０と、取得部１２０と、転送部１３０とを備える。ここで、記憶部１１０は、所定のキーワードを予め記憶する。
【００１６】
取得部１２０は、入力画面（入力領域とも称する）に対する診療情報の入力を補助する入力ツールを起動する入力ツール起動指示を利用者から受け付けると、記憶部１１０からキーワードを取得する。
【００１７】
転送部１３０は、取得部１２０によって取得されたキーワードが、入力領域に対して入力済みの受診者の診療情報に含まれている場合に、診療情報に含まれているキーワードを入力ツールに転送する。
【００１８】
なお、その後、入力ツールは、転送部１３０によって転送されたキーワードが入力された状態の入力ツール画面を利用者に出力し、利用者が、入力ツール画面を用いて診療情報を入力画面に対して入力する。
【００１９】
［実施例１に係る診療情報入力装置による処理］
図２を用いて、実施例１に係る診療情報入力装置１００の処理の流れの一例について説明する。なお、図２は、実施例１に係る診療情報入力装置の処理の流れの一例について説明するためのフローチャートである。
【００２０】
図２に示すように、実施例１に係る診療情報入力装置１００は、入力ツール起動指示を利用者から受け付けると（ステップＳ１０１肯定）、取得部１２０が、記憶部１１０からキーワードを取得する（ステップＳ１０２）。
【００２１】
そして、転送部１３０は、入力済みの受診者の診療情報にキーワードが含まれている場合には（ステップＳ１０３肯定）、診療情報に含まれているキーワードを入力ツールに転送する（ステップＳ１０４）。なお、入力済みの受診者の診療情報にキーワードが含まれていない場合には（ステップＳ１０３否定）、転送部１３０は、そのまま処理を終了する。
【００２２】
［実施例１の効果］
上記したように、実施例１によれば、診療情報入力装置１００は、入力ツール起動指示を利用者から受け付けると、所定のキーワードを予め記憶する記憶部１１０からキーワードを取得する。そして、診療情報入力装置１００は、入力済みの受診者の診療情報にキーワードが含まれている場合に、キーワードを入力ツールに転送する。この結果、利用者による入力操作を軽減可能である。
【００２３】
具体的には、実施例１によれば、利用者がキーワードを入力する入力操作をすることなく、入力ツールはキーワードが入力された状態の入力ツール画面を表示でき、この結果、利用者による入力操作を軽減できる。つまり、キーワードを入力する入力操作を利用者がすることなく、入力ツール画面にはキーワードが入力されている結果、キーワードを入力ツール画面に入力する入力操作を無くすことが可能である。
【実施例２】
【００２４】
次に、実施例２に係る診療情報入力装置１００について説明する。以下では、実施例２に係る診療情報入力装置１００の構成について説明した後、実施例２に係る診療情報入力装置１００による処理の流れ、実施例２の効果について順に説明する。
【００２５】
［実施例２に係る診療情報入力装置の構成］
図３を用いて、実施例２に係る診療情報入力装置１００の構成の一例について説明する。なお、図３は、実施例２に係る診療情報入力装置の構成の一例について説明するためのブロック図である。図３に示すように、診療情報入力装置１００は、入力部２０１と、出力部２０２と、記憶部２１０と、制御部２２０とを有する。
【００２６】
入力部２０１は、制御部２２０内にある電子カルテ実行部２２１と転送部２２４と入力ツール処理部２２５と接続され、例えば、キーボードやマウス、マイク等が該当する。また、入力部２０１は、利用者から受け付けた情報を電子カルテ実行部２２１や転送部２２４、入力ツール処理部２２５に出力する。
【００２７】
例えば、入力部２０１は、電子カルテを起動する電子カルテ起動指示や、入力ツール起動指示、「ユーザ名、パスワード」を受け付けると、電子カルテ実行部２２１に出力する。また、入力部２０１は、後述する選択肢出力部２２３によって出力された選択肢が利用者によって選択されると、選択された選択肢を示す情報を転送部２２４に出力する。また、入力部２０１は、入力ツール画面に対して入力操作が行われると、入力ツール処理部２２５に出力する。
【００２８】
なお、例えば、診療情報入力装置１００は、マウスを右クリックされると、入力ツール起動指示を実行するための選択肢を出力する。ここで、入力ツール起動指示を実行するための選択肢が利用者によって選択されることで、入力部２０１は、入力ツール起動指示を受け付ける。
【００２９】
出力部２０２は、制御部２２０内にある電子カルテ実行部２２１と選択肢出力部２２３と入力ツール処理部２２５と接続され、例えば、モニタやスピーカなどが該当する。また、出力部２０２は、電子カルテ実行部２２１や選択肢出力部２２３、入力ツール処理部２２５から受信した情報を利用者に出力し、例えば、モニタ上に表示する。
【００３０】
記憶部２１０は、制御部２２０と接続され、制御部２２０による各種処理に用いるデータを記憶する。また、図３に示す例では、記憶部２１０は、電子カルテ記憶部２１１と、入力ツール情報記憶部２１２と、第一選択項目マスタ記憶部２１３と、起動項目記憶部２１４とを備える。
【００３１】
電子カルテ記憶部２１１は、電子カルテ実行部２２１と接続され、受診者に関する診療情報を記録する電子カルテを記憶する。また、電子カルテ記憶部２１１によって記憶された電子カルテは、電子カルテ実行部２２１によって用いられ、具体的には、電子カルテ実行部２２１によって出力部２０２に出力されたり、電子カルテ実行部２２１によって診療情報が入力されたりする。
【００３２】
入力ツール情報記憶部２１２は、取得部２２２と接続され、第一選択項目を入力ツールごとに記憶する。なお、第一選択項目は、入力ツール画面において利用者が最初に情報を選択したり、最初に情報を入力したりする項目である。
【００３３】
ここで、第一選択項目について、処方オーダを入力するための処方オーダ入力ツールを例に説明する。処方オーダ入力ツールは、まず、選択肢として表示された薬品名のうちいずれかが利用者によって選択され、あるいは、薬品名が利用者によって入力される。そして、処方オーダ入力ツールは、入力された選択されたりした薬品名を含む処方オーダ例を入力ツール画面に出力する。このように、処方オーダ入力ツールの場合、第一選択項目は、薬品名になる。
【００３４】
例えば、図４に示すように、入力ツール情報記憶部２１２は、入力ツールを識別する「ツール名」に対応付けて、「第一選択項目」を記憶し、例えば、図４に示す例では、ツール名「処方オーダ入力ツール」に対応付けて、第一選択項目「薬品名」を記憶する。なお、図４は、実施例２における入力ツール情報記憶部によって記憶された情報の一例を説明するための図である。
【００３５】
なお、図４では、入力ツール情報記憶部２１２が、「第一選択項目」に加えて、「マスタ名」と「マスタ検索キー」とを対応付けて記憶する場合を例に示した。図４に示す例では、入力ツール情報記憶部２１２は、ツール名「処方オーダ」に対応付けて、第一選択項目「薬品名」と、マスタ名「薬品マスタ」と、マスタ検索キー「薬品コード」とを記憶する。
【００３６】
ここで、「マスタ名」は、「第一選択項目」に入力されたり選択されたりする情報のマスタを示し、例えば、図４に示す「薬品マスタ」が該当する。図４に示す「薬品マスタ」は、第一選択項目「薬品名」に入力されたり選択されたりする情報のマスタが「薬品マスタ」であることを示す。
【００３７】
また、「マスタ検索キー」は、「第一選択項目」に入力されたり選択されたりする情報を検索する際に用いられるキーを識別するための情報を示し、例えば、図４に示す「薬品コード」が該当する。ここで、図４に示す「薬品コード」は、第一選択項目「薬品名」を検索する際に用いられるキーが薬品コードであることを示す。
【００３８】
なお、図４では、入力ツール情報記憶部２１２が、「第一選択項目」に加えて、「マスタ名」と「マスタ検索キー」とを対応付けて記憶する場合を例に示したが、本発明はこれに限定されるものではない。例えば、「ツール名」に対応付けて「第一選択項目」を記憶するに留めても良く、「ツール名」に対応付けて「第一選択項目」と「マスタ名」とを対応付けて記憶するに留めても良い。あるいは、さらに別の情報を記憶してもよい。
【００３９】
入力ツール情報記憶部２１２に記憶された情報は、取得部２２２によって用いられ、また、予め利用者によって入力される。
【００４０】
第一選択項目マスタ記憶部２１３は、取得部２２２と接続され、第一選択項目に対応するマスタ各々を記憶する。例えば、薬品マスタを例に説明すると、図５に示すように、第一選択項目マスタ記憶部２１３は、薬品名のマスタを記憶し、例えば、薬品名のリストを記憶する。なお、図５に示す例では、「薬品名」と「薬品コード」との対応付けのリストを記憶する場合について示した。図５は、実施例２における第一選択項目マスタ記憶部によって記憶された情報の一例を説明するための図である。
【００４１】
図５に示す例では、第一選択項目マスタ記憶部２１３の薬品マスタは、薬品名「ＰＬ顆粒」と薬品コード「HD0005」との対応付けや、薬品名「ワーファリン」と薬品コード「HD0265」との対応付けを記憶する。つまり、第一選択項目マスタ記憶部２１３の薬品マスタは、薬品名「ＰＬ顆粒」や「ワーファリン」を記憶するとともに、薬品名「ＰＬ顆粒」の薬品コードが「HD0005」であり、薬品名「ワーファリン」の薬品コードが「HD0265」であることを記憶する。
【００４２】
第一選択項目マスタ記憶部２１３に記憶された情報は、取得部２２２によって用いられ、また、予め利用者によって入力される。
【００４３】
なお、実施例２では、図５に示すように、第一選択項目マスタ記憶部２１３の薬品マスタが、「薬品名」に加えて「薬品コード」を記憶する場合を例に説明するが、本発明はこれに限定されるものではなく、例えば、「薬品コード」を記憶しなくてもよい。
【００４４】
ここで、実施例２における入力ツール情報記憶部２１２や第一選択項目マスタ記憶部２１３は、実施例１における記憶部１１０に対応する。また、実施例１において診療情報入力装置１００が記憶部１１０から取得するキーワードは、処方オーダ入力ツールである場合には、実施例２における薬品マスタに含まれる薬品名各々が該当する。
【００４５】
起動項目記憶部２１４は、取得部２２２と接続され、図６に示すように、「起動項目」を記憶する。ここで、起動項目は、後述するように、第一選択項目マスタ記憶部２１３から取得部２２２によって取得されたキーワードの内、入力領域に対して入力済みの受診者の診療情報に含まれているキーワードである。なお、図６に示す例では、「起動項目」と「マスタ検索キー」とを対応付けて記憶する場合について示した。なお、図６は、実施例２における起動項目記憶部によって記憶された情報の一例を説明するための図である。
【００４６】
図６に示す例では、起動項目記憶部２１４は、起動項目「ワーファリン」とマスタ検索キー「HD0265」との対応付けや、起動項目「ＰＬ顆粒」とマスタ検索キー「HD0005」との対応付けを記憶する。つまり、起動項目記憶部２１４は、起動項目「ワーファリン」や「ＰＬ顆粒」を記憶するとともに、起動項目「ワーファリン」や「ＰＬ顆粒」のマスタ検索キーを記憶する。なお、「ワーファリン」や「ＰＬ顆粒」は薬品名であり、「ワーファリン」や「ＰＬ顆粒」のマスタ検索キーは、薬品コードになる。
【００４７】
また、起動項目記憶部２１４に記憶された情報は、取得部２２２によって入力され、選択肢出力部２２３によって用いられる。また、起動項目記憶部２１４に記憶された情報は、例えば、選択肢出力部２２３によって用いられた後、取得部２２２によって新たな情報が上書きされることで削除される。
【００４８】
なお、実施例２では、図６に示すように、起動項目記憶部２１４が、「起動項目」に加えて「マスタ検索キー」を記憶する場合を例に説明するが、本発明はこれに限定されるものではなく、「マスタ検索キー」を記憶しなくてもよい。
【００４９】
制御部２２０は、入力部２０１と出力部２０２と記憶部２１０と接続され、各種の入力処理手順などを規定したプログラムを記憶するための内部メモリを有して種々の入力処理を実行する。また、図３に示す例では、制御部２２０は、電子カルテ実行部２２１と、取得部２２２と、選択肢出力部２２３と、転送部２２４と、入力ツール処理部２２５とを備える。
【００５０】
電子カルテ実行部２２１は、入力部２０１と出力部２０２と電子カルテ記憶部２１１と取得部２２２と入力ツール処理部２２５と接続される。また、電子カルテ実行部２２１は、入力部２０１から電子カルテ起動指示を受信すると、電子カルテ記憶部２１１に記憶された電子カルテを取得し、電子カルテに対して診療情報を利用者が入力するための入力画面を出力部２０２に出力する。その後、出力部２０２が、図７に示すような入力画面を利用者に出力する。なお、図７は、実施例２における入力画面の一例を説明するための図である。例えば、電子カルテ実行部２２１は、電子カルテのカルテエディタを起動することで、電子カルテの入力画面を出力部２０２に出力する。
【００５１】
なお、図７に示す例では、「ＳＯＡＰ形式」によるカルテの例を示した。すなわち、図７の「Ｓ」は主観的情報、「Ｏ」は客観的情報、「Ａ」は評価、「Ｐ」は今後のプランに関する記載であることを示す。
【００５２】
また、電子カルテ実行部２２１は、入力ツールを起動する入力ツール起動指示を入力部２０１から受信すると、入力ツール起動指示を取得部２２２に出力する。また、電子カルテ実行部２２１は、後述するように、入力ツール処理部２２５から、入力画面に診療情報を入力する旨の情報を受信すると、受信した情報によって識別される診療情報を入力画面に反映する。
【００５３】
なお、電子カルテ実行部２２１による処理の流れについては、図１０を用いて後述するため、ここでは説明を省略する。
【００５４】
取得部２２２は、入力ツール情報記憶部２１２と第一選択項目マスタ記憶部２１３と起動項目記憶部２１４と電子カルテ実行部２２１と選択肢出力部２２３と入力ツール処理部２２５と接続される。
【００５５】
取得部２２２は、入力ツール起動指示を電子カルテ実行部２２１から受信すると、入力ツール起動指示によって識別される入力ツールに対応する第一選択項目を入力ツール情報記憶部２１２から取得する。ここで、入力ツール起動指示によって識別される入力ツールが処方オーダ入力ツールである場合を例に、図４を用いてさらに説明する。取得部２２２は、入力ツール情報記憶部２１２を参照し、ツール名「処方オーダ入力ツール」に対応する第一選択項目「薬品名」やマスタ名「薬品マスタ」、マスタ検索キー「薬品コード」を取得する。
【００５６】
また、取得部２２２は、第一選択項目に対応するマスタを第一選択項目マスタ記憶部２１３から読み出す。例えば、取得部２２２は、入力ツール情報記憶部２１２から第一選択項目「薬品名」やマスタ名「薬品マスタ」を取得すると、第一選択項目マスタ記憶部２１３に記憶されたマスタのうち薬品マスタを参照し、薬品マスタに含まれる薬品名をすべて取得する。
【００５７】
図５に示す例を用いて説明すると、取得部２２２は、第一選択項目マスタ記憶部２１３から、薬品名「ＰＬ顆粒」と薬品コード「HD0005」との対応付けや、薬品名「ワーファリン」と薬品コード「HD0265」との対応付けを取得する。
【００５８】
また、取得部２２２は、読み出したマスタに含まれる項目が、入力画面に入力済みの受診者の診療情報に含まれるかを判定する。具体的には、取得部２２２は、読み出したマスタに含まれる項目それぞれについて含まれるかを判定し、例えば、薬品名「ＰＬ顆粒」について判定し、また、薬品名「ワーファリン」について判定する。
【００５９】
ここで、取得部２２２が含まれるかを判定する対象となる「入力画面に入力済みの受診者の診療情報」とは、例えば、電子カルテ実行部２２１が出力部２０２に出力し、出力部２０２が出力している電子カルテに記載されている診療情報が該当する。また、例えば、出力部２０２が出力している電子カルテに記載された診療情報のうち、当日の診療情報に関する情報が該当する。
【００６０】
このように、図８の（１）に示すように、入力ツール起動指示が利用者によって入力部２０１に入力されると、その後、取得部２２２は、図８の（２）に示すように、第一選択項目となる薬品名の内カルテに記載された薬品名を取得する。例えば、図８に示す例では、処方オーダ入力ツールを起動する「処方オーダ起動」が利用者によって選択されると、取得部２２２は、電子カルテの入力画面から、薬品名「ワーファリン」と「ＰＬ顆粒」とを取得する。なお、図８は、実施例２における取得部と選択肢出力部と転送部と入力ツール処理部とについて説明するための図である。
【００６１】
なお、実施例２では、取得部２２２が、入力画面に入力済みの受診者の診療情報を対象とする場合について説明するが、本発明はこれに限定されるものではない。例えば、出力部２０２から出力されていなくてもよい。例えば、いずれの受診者の電子カルテかを識別するための情報を利用者から指定されると、電子カルテ実行部２２１に記憶されている電子カルテの内該当する電子カルテを読み出し、読み出した電子カルテの記載のうち当日や最新の日付けの記載を対象としてもよい。
【００６２】
また、取得部２２２は、読み出したマスタに含まれる項目のうち、入力済みの受診者の診療情報に含まれると判定した項目について、起動項目記憶部２１４に入力する。例えば、取得部２２２は、薬品名「ＰＬ顆粒」と薬品名「ワーファリン」とについて含まれると判定すると、薬品名「ＰＬ顆粒」と薬品名「ワーファリン」とを起動項目記憶部２１４の「起動項目」に入力し、また、各薬品名に対応する薬品コードを「マスタ検索キー」に入力する。
【００６３】
また、取得部２２２は、起動項目記憶部２１４への入力が終了すると、終了した旨を選択肢出力部２２３に出力する。また、取得部２２２は、読み出したマスタに含まれる項目のすべてが、入力済みの受診者の診療情報に含まれていないと判定すると、入力ツール起動指示を入力ツール処理部２２５に出力する。
【００６４】
選択肢出力部２２３は、出力部２０２と起動項目記憶部２１４と取得部２２２と接続される。選択肢出力部２２３は、終了した旨を取得部２２２から受信すると、起動項目記憶部２１４に記憶された起動項目を読み出す。そして、取得部２２２は、起動項目を入力ツールに転送することを利用者が選択するための選択肢である第一の選択肢と、起動項目を入力ツールに転送しないことを利用者が選択するための選択肢である第二の選択肢とを出力部２０２に出力する。その後、出力部２０２が、選択肢を利用者に出力する。
【００６５】
また、取得部２２２は、起動項目記憶部２１４に複数の起動項目が記憶されていた場合には、つまり、複数のキーワードが入力済みの受診者の診療情報に含まれている場合には、起動項目各々に対応する第一の選択肢を出力部２０２に出力する。
【００６６】
例えば、図８の（３）に示すように、選択肢出力部２２３は、第一の選択肢と第二の選択肢とを含む画面を出力部２０２から出力する。図８の（３）に示す例では、選択肢出力部２２３は、第一の選択肢として「処方オーダツール起動」を出力する。また、選択肢出力部２２３は、第二の選択肢として、薬品名「ワーファリン」に対応する「処方オーダツール起動（ワーファリン）」や、薬品名「ＰＬ顆粒」に対応する「処方オーダツール起動（ＰＬ顆粒）」を出力する。
【００６７】
転送部２２４は、入力部２０１と入力ツール処理部２２５と接続され、起動項目を入力ツール処理部２２５に転送する。具体的には、転送部２２４は、第一の選択肢が利用者によって選択された旨の情報を入力部２０１から受信すると、起動項目を入力ツール処理部２２５に転送する。また、転送部２２４は、複数の第一の選択肢が利用者によって出力部２０２から出力される場合には、選択された第一の選択肢に対応する起動項目を入力ツール処理部２２５に転送する。
【００６８】
例えば、図８の（４）に示すように、「処方オーダツール起動（ワーファリン）」を利用者が選択すると、転送部２２４は、処方オーダツール起動（ワーファリン）に対応する起動項目である薬品名「ワーファリン」を入力ツール処理部２２５に転送する。また、転送部２２４は、処方オーダ用ツールを起動する旨の入力ツール起動指示を入力ツール処理部２２５に転送する。
【００６９】
また、転送部２２４は、第二の選択肢が利用者によって選択された旨の情報を入力部２０１から受信すると、起動項目を入力ツール処理部２２５に出力しない。例えば、図８の（３）に示す例を用いて説明すると、「処方オーダツール起動」を利用者が選択した場合には、転送部２２４は、起動項目を転送することなく、処方オーダ用ツールを起動する旨の入力ツール起動指示を入力ツール処理部２２５に転送する。
【００７０】
入力ツール処理部２２５は、入力部２０１と出力部２０２と電子カルテ実行部２２１と取得部２２２と転送部２２４と接続される。また、入力ツール処理部２２５は、取得部２２２や転送部２２４から入力ツール起動指示を受信すると、入力ツール起動指示により識別される入力ツールを起動する。例えば、入力ツール起動指示により識別される入力ツールが「処方オーダ入力ツール」である場合には、入力ツール処理部２２５は、処方オーダ入力ツールを起動し、入力ツール場面を出力部２０２に出力する。
【００７１】
また、入力ツール処理部２２５は、入力ツール起動指示とともに起動項目を受信すると、起動項目を第一選択項目に入力し、第一選択項目に情報を入力することで入力ツールによって実行される処理が実行された状態の入力ツール画面を出力部２０２に出力する。ここで、図９−１を用いて、起動項目が「ワーファリン」であり、入力ツール起動指示によって識別される入力ツールが「処方オーダ入力ツール」である場合を例にさらに説明する。なお、図９−１は、実施例２における入力ツール処理部について説明するための図である。
【００７２】
図９−１に示す例では、入力ツール処理部２２５は、入力ツール画面の第一選択項目となる「薬品名」に「ワーファリン」を入力し、「ワーファリン」を含む処方オーダ例が出力された入力ツール画面を出力部２０２に出力する。つまり、入力ツール処理部２２５は、入力ツール画面の「薬品名」に「ワーファリン」を入力したうえで、利用者が過去にワーファリンを含んで処方した処方オーダのパターンを検索し、検索結果となる処方オーダのパターンを自動表示する。
【００７３】
また、入力ツール処理部２２５は、入力ツール画面にて利用者によって決定された診療情報を入力画面に入力する。例えば、図９−１に示すように、入力ツール処理部２２５は、入力ツール画面に出力した処方オーダの例の内いずれかが利用者によって選択されると、図９−２に示すように、利用者によって選択された処方パターンについて、処方オーダ入力ツール内のエディタに展開する。そして、入力ツール処理部２２５は、処方オーダ入力ツール内のエディタに展開された処方オーダ内容が利用者によって確定されると、図９−３に示すように、確定された処方オーダを入力画面に入力する。なお、図９−２と図９−３とは、実施例２における入力ツール処理部について説明するための図である。例えば、入力ツール処理部２２５は、入力画面に診療情報を入力する旨の情報を電子カルテ実行部２２１に出力し、電子カルテ実行部２２１に診療情報を入力画面に入力させる。
【００７４】
なお、診療情報入力装置１００は、既知のパーソナルコンピュータ、ワークステーション、ＰＤＡ（Personal  Digital  Assistant）などの情報処理装置に、上記した各部を搭載することによって実現してもよい。
【００７５】
［診療情報入力装置による処理］
次に、図１０を用いて、実施例２に係る診療情報入力装置１００による全体処理の流れの一例について説明する。図１０は、実施例２に係る診療情報入力装置による全体処理の流れの一例について説明するためのフローチャートである。
【００７６】
図１０に示すように、実施例２における診療情報入力装置１００では、電子カルテ起動指示を利用者から受け付けると（ステップＳ１０１肯定）、電子カルテ実行部２２１は、利用者ログイン処理を実行する（ステップＳ１０２）。例えば、電子カルテ実行部２２１は、電子カルテシステムのログイン要求画面を出力部２０２に出力し、その後、利用者によって入力された「ユーザ名、パスワード」を入力部２０１から受信し、ユーザ認証を実行する。
【００７７】
そして、電子カルテ実行部２２１は、利用者ログインが許可された利用者から受診者ＩＤなどを受け付けて、受診者のカルテを開く（ステップＳ１０３）。つまり、電子カルテ実行部２２１は、電子カルテ記憶部２１１から電子カルテを取得する。
【００７８】
そして、電子カルテ実行部２２１は、電子カルテに診療情報を入力するためのカルテエディタを起動する（ステップＳ１０４）。ここで、電子カルテ実行部２２１は、入力画面を出力部２０２から出力する。
【００７９】
実施例２における診療情報入力装置１００では、入力ツール起動指示を利用者から受け付けると、入力ツールが起動し、入力ツールによる診療情報入力処理が実行される（ステップＳ１０５）。なお、入力ツールによる診療情報入力処理の後述については、図１１を用いて後述するため、ここでは説明を省略する。
【００８０】
その後、電子カルテ実行部２２１は、電子カルテを更新したカルテエディタを保存し（ステップＳ１０６）、利用者の操作を受け付けて受診者のカルテを閉じた後（ステップＳ１０７）、利用者の操作による利用者ログアウトを受け付けて処理を終了する（ステップＳ１０８）。
【００８１】
［入力ツールによる診療情報入力処理］
図１１を用いて、実施例２における入力ツールによる診療情報入力処理の流れの一例について説明する。図１１は、実施例２における入力ツールによる診療情報入力処理の流れの一例について説明するためのフローチャートである。
【００８２】
実施例２に係る診療情報入力装置１００では、入力ツール起動指示を利用者から受け付けると（ステップＳ２０１肯定）、取得部２２２は、入力ツール情報記憶部２１２から第一選択項目を取得する（ステップＳ２０２）。例えば、取得部２２２は、入力ツール起動指示によって識別される入力ツールが処方オーダ入力ツールである場合には、入力ツール情報記憶部２１２を参照し、ツール名「処方オーダ入力ツール」に対応する第一選択項目「薬品名」を取得する。
【００８３】
そして、取得部２２２は、第一選択項目マスタ記憶部２１３から第一選択項目に対応するマスタを読み出し（ステップＳ２０３）、例えば、薬品マスタに含まれる薬品名をすべて取得する。
【００８４】
そして、取得部２２２は、読み出したマスタに含まれる項目が、入力済みの受診者の診療情報に含まれるかを判定し（ステップＳ２０４）、例えば、読み出した薬品マスタに含まれる薬品名「ＰＬ顆粒」や薬品名「ワーファリン」などそれぞれについて判定する。
【００８５】
ここで、取得部２２２によって含まれないと判定されると（ステップＳ２０４否定）、入力ツール処理部２２５は、入力ツールを起動し（ステップＳ２０５）、入力ツール画面を出力部２０２に出力する（ステップＳ２０６）。例えば、入力ツール処理部２２５は、入力ツール起動指示により識別される入力ツールが「処方オーダ入力ツール」である場合には、処方オーダ入力ツールを起動し、入力ツール画面を出力する。
【００８６】
そして、入力ツール処理部２２５は、入力ツール画面にて利用者によって決定された診療情報を入力画面に入力する（ステップＳ２０７）。
【００８７】
一方、上記したステップＳ２０４において、取得部２２２は、含まれると判定すると（ステップＳ２０４肯定）、入力済みの受診者の診療情報に含まれると判定した項目について、起動項目記憶部２１４に入力する（ステップＳ２０８）。例えば、取得部２２２は、薬品名「ＰＬ顆粒」と薬品名「ワーファリン」とについて含まれると判定すると、薬品名「ＰＬ顆粒」と薬品名「ワーファリン」とを起動項目記憶部２１４に入力する。
【００８８】
そして、選択肢出力部２２３は、第一の選択肢と第二の選択肢とを利用者に出力する（ステップＳ２０９）。つまり、選択肢出力部２２３は、起動項目を入力ツールに転送するかしないかを選択するための選択肢を利用者に出力する。
【００８９】
ここで、利用者によって第一の選択肢が選択されなかった場合には（ステップＳ２１０否定）、つまり、第二の選択肢が選択されると（ステップＳ２１１）、上記したステップＳ２０５以降の処理を実行する。
【００９０】
一方、利用者によって第一の選択肢が選択された場合には（ステップＳ２１０肯定）、転送部２２４は、起動項目を入力ツール処理部２２５に転送する（ステップＳ２１２）。例えば、転送部２２４は、薬品名「ワーファリン」を入力ツール処理部２２５に転送する。
【００９１】
そして、入力ツール処理部２２５は、入力ツールを起動する（ステップＳ２１３）。そして、入力ツール処理部２２５は、起動項目が展開された入力ツール画面を出力する（ステップＳ２１４）。つまり、入力ツール処理部２２５は、起動項目を第一選択項目に入力し、第一選択項目に情報を入力することで入力ツールによって実行される処理が実行された状態の入力ツール画面を出力部２０２に出力する。その後、入力ツール処理部２２５は、入力ツール画面にて利用者によって決定された診療情報を入力画面に入力する（ステップＳ２１５）。
【００９２】
［実施例２の効果］
上記したように、実施例２によれば、診療情報入力装置１００は、入力ツール起動指示を利用者から受け付けると、入力画面に対して入力済みの受診者の診療情報に含まれているキーワードを入力ツールに転送する。この結果、利用者による入力操作を軽減可能である。
【００９３】
具体的には、利用者がキーワードを入力する入力操作をすることなく、入力ツールはキーワードが入力された状態の入力画面を表示でき、この結果、利用者による入力操作を軽減できる。つまり、所定のキーワードが電子カルテに入力済みである場合に、診療情報の入力を補助する入力ツールにキーワードを転送して入力ツール画面にキーワードをあらかじめ展開しておくことで、利用者の入力操作を軽減することが可能である。
【００９４】
また、実施例２によれば、診療情報入力装置１００は、入力ツールごとに所定のキーワードを予め記憶し、入力ツール起動指示によって識別される入力ツールに対応するキーワードを記憶部から取得する。この結果、入力ツールごとに第一選択項目が異なる場合であっても、入力ツールに適したキーワードを取得することが可能である。
【００９５】
また、実施例２によれば、選択肢出力部２２３は、第一の選択肢と第二の選択肢とを利用者に出力する。そして、転送部２２４は、第一の選択肢が利用者によって選択された場合にはキーワードを入力ツール処理部２２５に転送し、第二の選択肢が利用者によって選択された場合には、キーワードを入力ツール処理部２２５に転送しない。この結果、利用者が、キーワードが予め展開された入力ツールを起動するか否かを選択することが可能である。
【００９６】
また、実施例２によれば、選択肢出力部２２３は、複数のキーワードが入力済みの受診者の診療情報に含まれている場合に、キーワード各々に対応する第一の選択肢を出力する。そして、転送部２２４は、第一の選択肢が利用者によって選択された場合に、第一の選択肢に対応するキーワードを入力ツール処理部２２５に転送する。この結果、複数のキーワードが含まれている場合に、利用者がキーワードを選択でき、利用者が予め展開してほしいキーワードが展開された入力ツールを起動することが可能である。
【実施例３】
【００９７】
さて、これまで本発明の実施例について説明したが、本発明は上述した実施例以外にも、その他の実施例にて実施されてもよい。そこで、以下では、その他の実施例について説明する。
【００９８】
［入力ツール起動指示を受け付ける手法］
例えば、実施例２では、診療情報入力装置１００が、マウスを右クリックされることで表示される選択肢を利用者が選択することで、入力ツール起動指示を受け付ける場合について説明した。しかし、本発明はこれに限定されるものではなく、その他の方法を用いても良い。
【００９９】
例えば、診療情報入力装置１００では、制御部２２０は、利用者によって文字データが入力されると、文字データに対応する仮名漢字変換候補となる文字列を出力部２０２に出力する場合について説明する。ここで、制御部２２０は、仮名漢字変換候補となる文字列と並べて、入力ツール起動指示を受け付けるための選択肢を利用者に出力してもよい。例えば、「にゅうりょくつーる」や「しょほうおーだ」、「しょほう」、「おーだ」などを示す文字列が入力されると、入力ツール起動指示を受け付けるための選択肢について、仮名漢字変換候補となる文字列と並べて出力しても良い。なお、仮名漢字変換とは、例えば、ＩＭＥ（Input  Method  Editor）による変換処理が該当する。この結果、入力ツールを簡単に起動することが可能できる。また、文書入力からの一連の流れでシームレスにて入力ツールを起動でき、操作性を改善することが可能である。
【０１００】
［その他］
また、例えば、実施例２では、電子カルテを対象とする場合について説明したが、本発明はこれに限定されるものではなく、受診者の診療情報に関する情報が含まれるデータであればよい。例えば、放射線科のレポートであってもよい。
【０１０１】
［実施例の組み合わせについて］
また、実施例２では、入力ツールごとに所定のキーワードを記憶する手法や、キーワードを転送するかしないかを利用者が選択するための選択肢を出力する手法、キーワードごとに選択枝を利用者に出力する手法などを組み合わせて実施する手法について説明した。しかし、本発明はこれに限定されるものではなく、上記した手法の内、一部を実施してもよい。
【０１０２】
［システム構成］
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報（図１〜図１１）については、特記する場合を除いて任意に変更することができる。
【０１０３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１０４】
［コンピュータ］
また、上記の実施例で説明した各種の処理は、あらかじめ用意されたプログラムをパーソナルコンピュータやワークステーションなどのコンピュータで実行することによって実現することができる。そこで、以下では、図１２を用いて、上記の実施例と同様の機能を有する診療情報入力プログラムを実行するコンピュータの一例を説明する。なお、図１２は、実施例２に係る診療情報入力プログラムを実行するコンピュータの一例について説明するための図である。
【０１０５】
図１２に示すように、コンピュータ３０００は、操作部３００１、マイク３００２、スピーカ３００３、ディスプレイ３００４、通信部３００６、ＣＰＵ（Central  Processing  Unit）３０１０、ＲＯＭ（Read  Only  Memory）３０１１、ＨＤＤ（Hard  Disk  Drive）３０１２、ＲＡＭ（Random  Access  Memory）３０１３をバス３００９などで接続して構成されている。
【０１０６】
ＲＯＭ３０１１には、上記の実施例２で示した電子カルテ実行部２２１と、取得部２２２と、選択肢出力部２２３と、転送部２２４と、入力ツール処理部２２５と同様の機能を発揮する制御プログラム、つまり、図１２に示すように、電子カルテ実行プログラム３０１１ａと、取得プログラム３０１１ｂと、選択肢出力プログラム３０１１ｃと、転送プログラム３０１１ｄと、入力ツール処理プログラム３０１１ｅとが予め記憶されている。なお、これらのプログラム３０１１ａ〜３０１１ｅについては、図３に示した診療情報入力装置１００の各構成要素と同様、適宜統合または分離してもよい。
【０１０７】
そして、ＣＰＵ３０１０が、これらのプログラム３０１１ａ〜３０１１ｅをＲＯＭ３０１１から読み出して実行することにより、図１２に示すように、各プログラム３０１１ａ〜３０１１ｅについては、電子カルテ実行プロセス３０１０ａと、取得プロセス３０１０ｂと、選択肢出力プロセス３０１０ｃと、転送プロセス３０１０ｄと、入力ツール処理プロセス３０１０ｅとして機能するようになる。なお、各プロセス３０１０ａ〜３０１０ｅは、図３に示した電子カルテ実行部２２１と、取得部２２２と、選択肢出力部２２３と、転送部２２４と、入力ツール処理部２２５とにそれぞれ対応する。
【０１０８】
そして、ＨＤＤ３０１２には、電子カルテテーブル３０１２ａと、入力ツール情報テーブル３０１２ｂと、第一選択項目マスタテーブル３０１２ｃと、起動項目テーブル３０１２ｄとが設けられている。なお、各テーブル３０１２ａ〜３０１２ｄは、図３に示した電子カルテ記憶部２１１と、入力ツール情報記憶部２１２と、第一選択項目マスタ記憶部２１３と、起動項目記憶部２１４とにそれぞれ対応する。
【０１０９】
そして、ＣＰＵ３０１０は、電子カルテテーブル３０１２ａと、入力ツール情報テーブル３０１２ｂと、第一選択項目マスタテーブル３０１２ｃと、起動項目テーブル３０１２ｄとを読み出してＲＡＭ３０１３に格納し、ＲＡＭ３０１３に格納された電子カルテデータ３０１３ａと、入力ツール情報データ３０１３ｂと、第一選択項目マスタデータ３０１３ｃと、起動項目データ３０１３ｄとを用いて、診療情報入力プログラムを実行する。
【０１１０】
［その他］
なお、本実施例で説明した診療情報入力プログラムは、インターネットなどのネットワークを介して配布することができる。また、診療情報入力プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【０１１１】
１００  診療情報入力装置
１１０  記憶部
１２０  取得部
１３０  転送部
２０１  入力部
２０２  出力部
２１０  記憶部
２１１  電子カルテ記憶部
２１２  入力ツール情報記憶部
２１３  第一選択項目マスタ記憶部
２１４  起動項目記憶部
２２０  制御部
２２１  電子カルテ実行部
２２２  取得部
２２３  選択肢出力部
２２４  転送部
２２５  入力ツール処理部
３０００  コンピュータ
３００１  操作部
３００２  マイク
３００３  スピーカ
３００４  ディスプレイ
３００６  通信部
３００９  バス
３０１０  ＣＰＵ
３０１０ａ  電子カルテ実行プロセス
３０１０ｂ  取得プロセス
３０１０ｃ  選択肢出力プロセス
３０１０ｄ  転送プロセス
３０１０ｅ  入力ツール処理プロセス
３０１１  ＲＯＭ
３０１１ａ  電子カルテ実行プログラム
３０１１ｂ  取得プログラム
３０１１ｃ  選択肢出力プログラム
３０１１ｄ  転送プログラム
３０１１ｅ  入力ツール処理プログラム
３０１２  ＨＤＤ
３０１２ａ  電子カルテテーブル
３０１２ｂ  入力ツール情報テーブル
３０１２ｃ  第一選択項目マスタテーブル
３０１２ｄ  起動項目テーブル
３０１３  ＲＡＭ
３０１３ａ  電子カルテデータ
３０１３ｂ  入力ツール情報データ
３０１３ｃ  第一選択項目マスタデータ
３０１３ｄ  起動項目データ
【図１】
2010286922.tif 000003
【図２】
2010286922.tif 000004
【図３】
2010286922.tif 000005
【図４】
2010286922.tif 000006
【図５】
2010286922.tif 000007
【図６】
2010286922.tif 000008
【図７】
2010286922.tif 000009
【図８】
2010286922.tif 000010
【図９−１】
2010286922.tif 000011
【図９−２】
2010286922.tif 000012
【図９−３】
2010286922.tif 000013
【図１０】
2010286922.tif 000014
【図１１】
2010286922.tif 000015
【図１２】
2010286922.tif 000016